(57)【特許請求の範囲】
【請求項１】
光通信路を通じて伝送される通信光の一部を漏洩光として取り出すための複数の通信光可視化アダプタが整列して実装され、複数段に亘って階段状に位置をずらして配置される複数のパネルと、
複数の前記パネルとそれぞれ一体的に形成され、当該パネルを起立させる底面として機能すると共に前記パネルから延在する配線が収容される複数の配線用棚板とを備えた通信光可視化パッチパネルであって、
複数の前記配線用棚板は、それぞれ前記収容される配線が落ちないように折り曲げられた前端を有し、
複数の前記パネルは、相互に別体として形成され、
前記通信光可視化パッチパネルは、複数の前記パネルが相互に分離可能となるように組み立てられている
ことを特徴とする通信光可視化パッチパネル。
【請求項２】
複数の前記配線用棚板は、それぞれ複数の貫通孔を有する
請求項１に記載の通信光可視化パッチパネル。
【請求項３】
複数の前記通信光可視化アダプタは、千鳥配列で整列して実装される
請求項１または２に記載の通信光可視化パッチパネル。
【発明の詳細な説明】
【技術分野】
【０００１】
本発明は、光通信路における通信状況の目視確認を目的として光通信路を通じて伝送される通信光の可視化を実現する通信光可視化パッチパネルに関する。
【背景技術】
【０００２】
従来より、光通信関連設備においては、光通信路における通信状況（例えば、光通信路が使用中であるか否か）の目視確認を目的として光通信路を通じて伝送される通信光の可視化を実現する通信光可視化技術が採用されている。
【０００３】
通信光可視化技術としては、例えば、光通信路を通じて伝送される通信光の一部を漏洩光として取り出すための通信光可視化アダプタと、通信光可視化アダプタを通じて取り出される漏洩光を受光して光通信路における通信状況を検知すると共にその結果を人間が目視確認できる形態で出力するための通信光検知器と、を備える通信光可視化構造が知られている（例えば、特許文献１乃至５を参照）。
【先行技術文献】
【特許文献】
【０００４】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【特許文献５】特開２０１３−２２８６７８号公報
【発明の概要】
【発明が解決しようとする課題】
【０００５】
通信光可視化構造においては、光通信路における通信状況の目視確認を行う際に、通信光検知器を通信光可視化アダプタに嵌挿するための嵌挿空間を確保する必要があるが、複数の通信光可視化アダプタが整列して実装される通信光可視化パッチパネルを複数段に積層して配置しようとすると、嵌挿空間を十分に確保することができなくなるため、通信光可視化アダプタの高密度実装を目指す上で障害となっている。
【０００６】
そこで、本発明の目的は、複数段に積層して配置することができ、通信光可視化アダプタの高密度実装を実現することが可能な通信光可視化パッチパネルを提供することにある。
【課題を解決するための手段】
【０００７】
本発明は、光通信路を通じて伝送される通信光の一部を漏洩光として取り出すための複数の通信光可視化アダプタが整列して実装されると共に複数段に亘って階段状に位置をずらして配置される複数のパネルを備える通信光可視化パッチパネルである。
【０００８】
前記パネルを起立させる底面として機能すると共に前記パネルから延在する配線が収容される配線用棚板を更に備えることが望ましい。
【０００９】
前記配線用棚板は、複数の貫通孔を有することが望ましい。
【００１０】
複数の前記パネルは、相互に別体として形成されることが望ましい。
【００１１】
複数の前記通信光可視化アダプタは、千鳥配列で整列して実装されることが望ましい。
【発明の効果】
【００１２】
本発明によれば、複数段に積層して配置することができ、通信光可視化アダプタの高密度実装を実現することが可能な通信光可視化パッチパネルを提供することができる。
【図面の簡単な説明】
【００１３】
【図１】本発明の実施の形態に係る通信光可視化パッチパネルの構造を示す斜視図である。
【図２】本発明の実施の形態に係る通信光可視化パッチパネルの構造を示す分解斜視図である。
【発明を実施するための形態】
【００１４】
以下、本発明の実施の形態を添付図面に順って説明する。
【００１５】
図１，２に示す通り、本発明の実施の形態に係る通信光可視化パッチパネル１００は、光通信路を通じて伝送される通信光の一部を漏洩光として取り出すための複数の通信光可視化アダプタ１０１が整列して実装されると共に複数段に亘って階段状に位置をずらして配置される複数のパネル１０２を備えている。
【００１６】
通信光可視化アダプタ１０１は、例えば、光ファイバからなる光通信路を光学的に接続するための１組のＳＣフェルールを内装している。１組のＳＣフェルールは、両端に研磨が施されており、光通信路の光軸をずらすために少しだけずらして突合接続されている。これにより、光通信路を通じて伝送される通信光の一部を漏洩光として取り出すことが可能となる。
【００１７】
また、通信光可視化アダプタ１０１は、漏洩光を通信光可視化アダプタ１０１の内部から外部に向けて導光して取り出すための光取出孔を有している。通信光可視化アダプタ１０１の光取出孔に通信光検知器の受光素子が嵌挿されるように、通信光可視化アダプタ１０１に通信光検知器が取り付けられる。
【００１８】
通信光検知器は、通信光可視化アダプタ１０１を通じて取り出される漏洩光を受光して光通信路における通信状況を検知すると共にその結果を人間が目視確認できる形態で出力する。これにより、光通信路における通信状況の目視確認を目的として光通信路を通じて伝送される通信光の可視化を実現することが可能となる。
【００１９】
更に、複数の通信光可視化アダプタ１０１は、所定の配列（例えば、千鳥配列や並列配列）で整列してパネル１０２に実装されている。このとき、複数の通信光可視化アダプタ１０１を千鳥配列で整列してパネル１０２に実装することにより、複数の通信光可視化アダプタ１０１を並列配列で整列してパネル１０２に実装する場合と比較して通信光可視化アダプタ１０１の高密度実装を実現することが可能となる。
【００２０】
即ち、複数の通信光可視化アダプタ１０１を並列配列とした場合は、通信光可視化アダプタ１０１とその隣の通信光可視化アダプタ１０１との間に距離を設ける必要があるが、複数の通信光可視化アダプタ１０１を千鳥配列とした場合は、通信光可視化アダプタ１０１とその隣の通信光可視化アダプタ１０１との間に距離を設ける必要が無く、通信光可視化アダプタ１０１の高密度実装を実現することができる。
【００２１】
複数のパネル１０２は、相互に別体として形成されている。これにより、複数のパネル１０２を容易に分離させたり組み立てたりすることができるため、メンテナンスや多段積層を容易に実現することが可能となる。図１，２では、２つのパネル１０２を上下二段に積層しているが、三段以上に積層しても構わない。また、複数のパネル１０２は、ラッチ１０３により組み立て可能に構成されている。
【００２２】
また、通信光可視化パッチパネル１００は、パネル１０２を起立させる底面として機能すると共にパネル１０２から延在する配線が収容される配線用棚板１０４を更に備えている。配線用棚板１０４は、パネル１０２と一体的に形成されても良く、一枚の金属板材をプレス成形すること等によって製造することができる。配線用棚板１０４の前端１０５は、配線用棚板１０４に収容される配線が配線用棚板１０４から落ちないように折り曲げられている。
【００２３】
なお、最下段の配線用棚板１０４は、後端１０６も折り曲げられており、その中央付近にパネル１０２が起立して設置されている。このとき、パネル１０２は、配線用棚板１０４の両側端から起立する側壁１０７にビス留め等により取り付けられる。側壁１０７には、通信光可視化パッチパネル１００をサーバラック等に取り付けるためのフランジ１０８が設けられている。
【００２４】
また、配線用棚板１０４は、複数の貫通孔１０９を有しており、配線用棚板１０４に収容される配線を面ファスナーやインシュロックで固定できるようになっている。これにより、配線の位置ずれや作業者の手等が引っかかることによる配線の断線等を防止することが可能となる。
【００２５】
以上の通り、通信光可視化パッチパネル１００によれば、複数のパネル１０２が複数段に亘って階段状に位置をずらして配置されているため、通信光可視化アダプタ１０１の嵌挿空間を確実に確保することが可能となる。そのため、本発明によれば、複数段に積層して配置することができ、通信光可視化アダプタ１０１の高密度実装を実現することが可能な通信光可視化パッチパネルを提供することができる。
【符号の説明】
【００２６】
１００  通信光可視化パッチパネル
１０１  通信光可視化アダプタ
１０２  パネル
１０３  ラッチ
１０４  配線用棚板
１０５  前端
１０６  後端
１０７  側壁
１０８  フランジ
１０９  貫通孔
【図１】
0006780241.tif 000002
【図２】
0006780241.tif 000003